(57)【要約】  【課題】  台所の気流を乱すことなく給気可能な同時給排式或いは室内循環式レンジフードを提供する。  【解決手段】  台所の加熱調理器具の上方に設置され、調理により発生する油煙等を捕集するためのフード部Ａ１と、捕集した油煙等を吸引排気する送風機Ａ２と、フード部の一部に、屋外に連通する給気ダクトが接続される給気経路と、該給気経路を介して前記加熱調理器具が設置された室内と連通する給気口９を前記フード部の一部に設けた同時給排式レンジフードにおいて、前記給気口９から吹き出す給気流の方向を、台所を区画する壁面以外の方向とする制御手段Ａ５を前記給気口より上流側の給気経路に設けた。【選択図】  図２
2007093131.tif 000002
【特許請求の範囲】
【請求項１】
台所の加熱調理器具の上方に設置され、調理により発生する油煙等を捕集するためのフード部と、捕集した油煙等を吸引排気する送風機と、フード部の一部に、屋外に連通する給気ダクトが接続される給気経路と、該給気経路を介して前記加熱調理器具が設置された室内と連通する給気口を前記フード部の一部に設けた同時給排式レンジフードにおいて、
前記給気口から吹き出す給気流の方向を、台所を区画する壁面以外の方向とする制御手段を前記給気口より上流側の給気経路に設けたことを特徴とする同時給排式レンジフード。
【請求項２】
上記給気経路は、フード部の天板上面に起立設置され、送風機や該送風機に接続されるダクト接続部等を使用者の視界から隠蔽する幕板の内部空間を利用し、その内部空間に複数のガイド板からなる制御手段を配置し、そのガイド板の配置パターンを、レンジフードの設置現場に応じて変更自在とし、給気口から吹き出す給気流の方向を壁面以外の左又は右方向に選定可能としたことを特徴とする請求項１記載の同時給排式レンジフード。
【請求項３】
上記制御手段のガイド板は、前記幕板の内部空間を区画する表面板と背板間の高さを有した平板で構成されていることを特徴とする請求項２記載の同時給排式レンジフード。
【請求項４】
台所の加熱調理器具の上方に設置され、調理により発生する油煙等を捕集するためのフード部と、捕集した油煙等を吸引排気する送風機と、該送風機に連通した排気経路を介して排気を浄化処理後、加熱調理器具が設置された室内に吹き出す排気口を前記フード部の一部に設けた室内循環式レンジフードにおいて、
前記排気口から吹き出す排気流の方向を、台所を区画する壁面以外の方向とする制御手段を前記排気口より上流側の排気経路に設けたことを特徴とする室内循環式レンジフード。
【請求項５】
上記排気経路は、フード部の天板上面に起立設置され、送風機や該送風機に接続されるダクト接続部等を使用者の視界から隠蔽する幕板の内部空間を利用し、その内部空間に複数のガイド板からなる制御手段を配置し、そのガイド板の配置パターンを、レンジフードの設置現場に応じて変更自在とし、排気口から吹き出す排気流の方向を壁面以外の左又は右方向に選定可能としたことを特徴とする請求項４記載の室内循環式レンジフード。
【請求項６】
上記制御手段のガイド板は、前記幕板の内部空間を区画する表面板と背板間の高さを有した平板で構成されていることを特徴とする請求項５記載の室内循環式レンジフード。
【発明の詳細な説明】
【技術分野】
【０００１】
本発明は、台所の加熱調理器具上方に設置され、調理に伴い発生する油煙、臭気及び湯気等を吸引捕獲し、屋外又は室内に排気するレンジフードに関し、更に詳しくは、加熱調理器具が設置された室内に、排気と同時に外気を給気する同時給排式レンジフード、及び電磁調理器や電気コンロの加熱調理器具を設置した台所を対象とする吸引捕集した排気を再び室内に排気（給気）する室内循環式レンジフードに関する。
【背景技術】
【０００２】
従来、一般的なレンジフードは台所の加熱調理器具（例えば、ガスレンジ）上方に設置され、調理に伴い発生する油煙、臭気、及び湯気等を吸引捕獲し、屋外に効率よく排気するために使用されている。
しかし、近年、省エネルギーの観点、あるいは高層マンションの増加に伴い高気密住宅が普及しはじめた結果、レンジフードの排気運転に伴い台所を含めた室内が負圧の状態となり、レンジフードの排気運転に支障をきたすほか、ドアの開閉が困難になる、或いはドア等の狭い隙間から空気が流れ込み、うなり音を発生するなど、使用者にとって不快な環境を作り出す要因となってきた。
【０００３】
そこで、室内負圧の上昇が問題となるような建物には、同時給排式レンジフードが設置されるようになった。この同時給排式レンジフードは、レンジフードに接続される排気ダクトや送風機等を使用者の視界から隠蔽するためにフード本体の上部に設けられる幕板に給気口を開口し、その給気口に給気ダクト接続経路を介して屋外に連通する給気ダクトが接続され、これにより屋外の新鮮な空気を室内に給気するように構成されている（例えば、特許文献１参照）。
【０００４】
そして、その同時給排式レンジフードには、前記した構成により、レンジフードの排気運転に伴い発生する室内負圧により、自然に給気される自然給気型と、前記給気ダクト接続経路に給気用送風機を補助的に設け、負圧による自然給気と給気用送風機の運転により給気する強制給気型の二タイプが存在する。
【０００５】
上記同時給排式レンジフードの幕板に設けられる給気口は、加熱調理器具の前方に立つ使用者に給気の風が直接当たった場合不快な感じを与えるため、給気の風が直接当たらないように、給気口は幕板の上部側に設けられている。
又、給気した外気が直接天井等に接触した場合、天井部が汚れたりするため、これを防止するために前記給気口に風向板やルーバー等を備え、給気口から吹き出る外気の風向きを上下方向に調節できるようになっている。
【０００６】
ところで、台所におけるレンジフードＡ’の設置場所は、使い勝手や横風の影響を考慮して図８に示すように左右どちらかに壁が存在し、又、レンジフードと対向する正面（使用者からは背面側）には台所を区画する壁が存在するケースが多い。
一方、給気口１７から吹き出す給気流は、レンジフードの排気量が大きい時は、給気量も大きくなるため、給気口から吹き出す給気流の風速も速くなる。
【０００７】
速い速度で室内に吹き出された給気流は正面の壁にそのまま衝突し、衝突した給気流は区画された台所内に拡がると同時に、台所内部の気流を大きく乱し、調理により発生した油煙等はスムーズに上昇しなくなり、レンジフードで十分に捕獲することができなくなるという問題を有する。
特に、近年急激に普及した電磁加熱調理器の場合は、加熱による上昇気流が発生しないため、一層気流が乱されることになる。
また、壁に衝突した給気流の一部は跳ね返り、使用者の頭部から背中に当たる場合もあり、使用者に不快感を与える問題を有する。
尚、最近は、建物の高気密、高断熱化、更に高層化の現状に、旧来の吸引捕獲した排気を屋外に排気するタイプのレンジフードでは各種問題（例えば、室内空気圧の変化、室内環境の汚染、エネルギーロス等）が生じ合わなくなり、これに替わるものとして室内循環式レンジフードの開発が進められている。
その室内循環式レンジフードは、上記問題点を解消できるが、室内に吹き出す排気流（給気）についてもその吹き出す方向は上記した同時給排式レンジフードと同様の問題を有する。
【０００８】
【特許文献１】特開平１１−３５１６３１号公報
【発明の開示】
【発明が解決しようとする課題】
【０００９】
本発明は、上記した従来技術が有する問題点に鑑みてなされたもので、台所の気流を乱すことなく給気可能な同時給排式レンジフードを提供することを課題とする。
又、給気口にルーバーや風向板等の複雑な機構を装備することなく、簡単な構造で目的の方向に給気できる同時給排式レンジフード、及び室内循環式レンジフードを提供することを課題とする。
【課題を解決するための手段】
【００１０】
上記課題を解決するために本発明が講じた技術的手段は、台所の加熱調理器具の上方に設置され、調理により発生する油煙等を捕集するためのフード部と、捕集した油煙等を吸引排気する送風機と、フード部の一部に、屋外に連通する給気ダクトが接続される給気経路と、該給気経路を介して前記加熱調理器具が設置された室内と連通する給気口を前記フード部の一部に設けた同時給排式レンジフードにおいて、前記給気口から吹き出す給気流の方向を、台所を区画する壁面以外の方向とする制御手段を前記給気口より上流側の給気経路に設けたことを特徴とする（請求項１）。
上記給気口が形成されるフード部の一部とは、レンジフードに接続される排気ダクトや送風機等を使用者の視界から隠蔽するためにフード本体の上部に設けられる幕板、或いはフードの前面板と幕板が一体化した前板等が挙げられる。
上記給気経路は、上記幕板、或いは前板自体を中空構造にする、または、幕板或いは前板の裏側に空間を区画する箱体を取り付けるなど何れでもよい。
更に、外気の給気形式は、自然給気或いは強制給気の何れの形式でもよく、強制給気とする場合に使用する給気用送風機は補助的なものであるから排気用送風機に比べ小型のものでよい。
【００１１】
上記手段によれば、排気運転に伴い発生する室内負圧による自然給気、或いは給気用送風機の運転による強制給気で給気経路に導入された外気は、該給気経路内に設けた制御手段で、給気口から吹き出る給気流の方向を、レンジフードに隣接する側壁や正面壁に当たらない方向に制御される。例えば、レンジフードが左側の側壁に隣接して設置される場合は、左側壁及び正面壁に当たらない右方向に吹き出させ、レンジフードが右側の側壁に隣接して設置される場合は、右側壁及び正面壁に当たらない左方向に吹き出させる。これにより、台所内部の気流を乱すことがなくなり、調理により発生する油煙等はスムーズに上昇し、フード部で効率よく捕獲される。
【００１２】
上記給気経路の具体例としては、例えばフード部の天板上面に起立設置され、送風機や該送風機に接続されるダクト接続部等を使用者の視界から隠蔽する幕板の内部空間を利用し、その内部空間に複数のガイド板からなる制御手段を配置し、そのガイド板の配置パターンを、レンジフードの設置現場に応じて変更自在とし、給気口から吹き出す給気流の方向を壁面以外の左又は右方向に選定可能とすることができる（請求項２）。
幕板の内部空間は、該幕板自体を扁平な箱体構造とするか、幕板の裏側に空間を区画する箱体を固着して構成する。尚、内部空間の横幅は、幕板に開設される給気口の横幅と同等か、給気口の横幅より広くする。
そして、上記制御手段のガイド板は、前記幕板の内部空間を区画する表面板と背板間の高さを有した平板で構成されていることを特徴とする（請求項３）。
【００１３】
上記手段によれば、レンジフードを設置する現場の状況に応じて決定される給気流の吹き出し方向に応じて、複数のガイド板を給気経路内に設置することで完了できるため、構造簡単で容易に調整することができる。
【００１４】
又、台所の加熱調理器具の上方に設置され、調理により発生する油煙等を捕集するためのフード部と、捕集した油煙等を吸引排気する送風機と、該送風機に連通した排気経路を介して排気を浄化処理後、加熱調理器具が設置された室内に吹き出す排気口を前記フード部の一部に設けた室内循環式レンジフードにおいて、前記排気口から吹き出す排気流の方向を、台所を区画する壁面以外の方向とする制御手段を前記排気口より上流側の排気経路に設けたことを特徴とする（請求項４）。
上記排気口が形成されるフード部の一部とは、送風機等を使用者の視界から隠蔽するためにフード本体の上部に設けられる幕板、或いはフードと幕板が一体化した前板等が挙げられる。
上記排気経路は、上記幕板、或いは前板自体を中空構造にする、または、幕板或いは前板の裏側に空間を区画する箱体を取り付けるなど何れでもよい。
【００１５】
上記手段によれば、捕獲吸引された油煙等は油脂分等を分離除去した後、排気経路を介して排気口から室内に吹き出されるが、該排気経路内に設けた制御手段で、排気口から吹き出る排気流の方向を、レンジフードに隣接する側壁や正面壁に当たらない方向に制御される。例えば、レンジフードが左側の側壁に隣接して設置される場合は、左側壁及び正面壁に当たらない右方向に吹き出させ、レンジフードが右側の側壁に隣接して設置される場合は、右側壁及び正面壁に当たらない左方向に吹き出させる。これにより、台所内部の気流を乱すことがなくなり、調理により発生する油煙等はスムーズに上昇し、フード部で効率よく捕獲される。
【００１６】
上記排気経路の具体例としては、例えばフード部の天板上面に起立設置され、送風機等を使用者の視界から隠蔽する幕板の内部空間を利用し、その内部空間に複数のガイド板からなる制御手段を配置し、そのガイド板の配置パターンを、レンジフードの設置現場に応じて変更自在とし、排気口から吹き出す排気流の方向を壁面以外の左又は右方向に選定可能とすることができる（請求項５）。
幕板の内部空間は、該幕板自体を扁平な箱体構造とするか、幕板の裏側に空間を区画する箱体を固着して構成する。尚、内部空間の横幅は、幕板に開設される給気口の横幅と同等か、給気口の横幅より広くする。
そして、上記制御手段のガイド板は、前記幕板の内部空間を区画する表面板と背板間の高さを有した平板で構成されていることを特徴とする（請求項６）。
【００１７】
上記手段によれば、レンジフードを設置する現場の状況に応じて決定される排気流の吹き出し方向に応じて、複数のガイド板を排気経路内に設置することで完了できるため、構造簡単で容易に調整することができる。
【発明の効果】
【００１８】
本発明のレンジフードは請求項１記載の構成により、給気口から吹き出る給気流の方向を、レンジフードに隣接する側壁や正面壁に当たらない方向に制御することができる。それにより、台所内部の気流を乱すことがなくなり、調理により発生する油煙等はスムーズに上昇し、フード部で効率よく捕獲吸引することができる。因って、室内の気流を乱さず、しかも、捕獲効率の優れた同時給排式レンジフードを提供することができる。
又、請求項２、３記載の構成により、レンジフードを設置する現場の状況に応じて決定される給気流の吹き出し方向に応じて、複数のガイド板を給気経路内に設置することで完了できるため、従来のルーバーや風向板を給気口に設ける構造に比較して、構造簡単で容易に調整することができる。
又、ガイド板は幕板内部に配置され外部に露出しないため、外観がスッキリし意匠性を阻害することもない。
【００１９】
更に、請求項４〜６記載の構成により、排気を室内に給気する室内循環式レンジフードにおいても同時給排式レンジフードと同様、排気口から吹き出る給気流の方向を、レンジフードに隣接する側壁や正面壁に当たらない方向に制御することができる。それにより、台所内部の気流を乱すことがなくなり、調理により発生する油煙等はスムーズに上昇し、フード部で効率よく捕獲吸引することができる。因って、室内の気流を乱さず、しかも、捕獲効率の優れた室内循環式レンジフードを提供することができる。
【発明を実施するための最良の形態】
【００２０】
以下、本発明に係るレンジフードの実施の形態の一例を、強制給気タイプの同時給排式レンジフードについて図面に基づいて説明する。
図１は、同時給排式レンジフードＡが加熱調理器具の上方に設置された状態を示し、該同時給排式レンジフードＡは、調理により発生する油煙等を捕集するフード部Ａ１と、捕集した油煙等を吸引排気する排気用送風機Ａ２と、屋外の外気を吸引する給気用送風機Ａ３と、その給気用送風機Ａ３の運転で吸引した外気を室内に吹き出す給気口を開口した幕板Ａ４とで構成されている。
【００２１】
上記フード部Ａ１は、金属平板で下面が開口した扁平の箱形に構成され、そのフード部Ａ１の天板１上に排気用送風機Ａ２が該フード部Ａ１の内部と連通させて載置され、その排気用送風機Ａ２の排気側には屋外と連通する排気ダクト２が接続されている。又、フード部Ａ１内部の吸込み口の上流側には油煙に含まれている油脂分を分離回収するフィルタ（図示省略）が着脱可能に設置され、更に該フィルタより上流側に吸い込み風速を高めるための整流板が適宜配置されている。排気用送風機Ａ２と排気ダクト２とを連結するダクト継手２’内にはダンパー１７が開閉可能に装備されている。
【００２２】
上記排気用送風機Ａ２は、ファンと、そのファンを収容するケーシングと、ファンを駆動回転するモータからなる今日周知の形態のもので、この排気用送風機Ａ２は前記フード部Ａ１の天板上の左側に配置されている（図２、３参照）。尚、この排気用送風機Ａ２の取付位置は、レンジフードを設置する現場の状況、及びその設置現場に応じて決定される給気の吹き出し方向等によって決定される。
【００２３】
フ-ド部Ａ１の天板上に載置した排気用送風機Ａ２の前方には、排気用送風機Ａ２及びその排気用送風機Ａ２に接続された排気ダクト２が、加熱調理器具の前に立つ使用者の目に入らないようにこれらを隠蔽する幕板Ａ４が起立配置されている。
この幕板Ａ４は、フード部Ａ１の天板上面から天井までの空間を遮る高さと、フード部Ａ１の横幅と略同じ横幅を有した扁平の中空箱状に構成され、その幕板Ａ４の裏側に該幕板内部と連通させて給気用送風機Ａ３が取付けられ、給気用送風機Ａ３の吸い込み側には屋外に連通する給気ダクト３が接続されている。即ち、幕板Ａ４に、給気用送風機Ａ３と給気ダクト３で構成された給気経路が接続されている。給気用送風機Ａ３と給気ダクト３とを連結するダクト継手３’内にはダンパー１８が開閉可能に装備されている。
【００２４】
上記給気用送風機Ａ３は、前記排気用送風機Ａ２と同様、ファン４と、そのファン４を収容するケーシング５と、前記ファン４を駆動回転するモータ６とで構成され、ケーシング５の吐出側が幕板Ａ４の背板７に開口された給気穴８に接続されている。尚、本実施の形態においてはフード部Ａ１の天板の上面左側に前記した排気用送風機Ａ２を配置するため、給気用送風機Ａ３はフード部Ａ１の上部右側に配置されている。又。この給気用送風機Ａ３は、自然給気の補助的なものであるから、排気用送風機Ａ２に比べて小型のものでよい。
【００２５】
幕板Ａ４は、表面板７ａと、所定深さの周縁を起立形成した背板７ｂとで扁平な中空箱状に構成され、表面板７ａの上部には給気経路を介して導入した外気を室内に吹き出す給気口９が開口されている。給気口９は、図示するように単に平板に給気口を打ち抜き開口したものに限らず、給気流の吹き出し方向を上下調整するルーバーを備えたもの、或いは打ち抜いた開口部に樹脂成形品のルーバーや、風向板を嵌め込み取付た構成のものなど、何れでもよい。
【００２６】
上記幕板Ａ４の内部には、上記給気口９から吹き出す給気流の方向を、台所を区画する壁面以外の方向とする制御手段Ａ５が配置されている。
その制御手段Ａ５は、前記した中空の幕板Ａ４を構成する表面板７ａと背板７ｂとに亘って起立設置する平板からなる３種類のガイド板１１ａ、１１ｂ、１１ｃで構成され、それらガイド板１１ａ、１１ｂ、１１ｃはレンジフードの設置現場により決定される吹き出し方向に応じて適宜選択され配置される。
【００２７】
上記３種類のガイド板の形状は、長さ方向の寸法が短い長方形のガイド板１１ａ、前記ガイド板１１ａの略２倍の長さを有する長方形のガイド板１１ｂ、平面略への字形に屈曲したガイド板１１ｃとからなり、各ガイド板には背板と当接する側に固定用のフランジが直角に折り曲げ形成され、そのフランジ部分を背板にビス止め１６して固定するようになっている。
【００２８】
次に、制御手段Ａ５の配置パターンについて説明する。
図２はレンジフードが左角部に設置される場合を示し、この場合排気用送風機Ａ２はフード部Ａ１の上面左側に配置され、給気用送風機Ａ３は幕板Ａ４における背板７ｂの右側に開設された給気穴８と連通させてフード部Ａ１の上面右側に配置されている。
しかして、この場合、幕板Ａ４の給気口９から吹き出される給気流の方向を、左側の壁及び加熱調理器具の前に立つ使用者に当らない右方向（図２（ａ）の太い矢印方向）とするためには、給気用送風機Ａ３の運転で幕板Ａ４内に導入した外気を幕板Ａ４内部において表面板７ａに開口した給気口９の右側に向けて流れるように案内すればよい。従って、幕板Ａ４の背板７ｂには、給気穴８の上縁側にガイド板１１ｃを配置し、そのガイド板１１ｃの斜辺と略平行にガイド板１１ａを２個、所定の間隔を置いて配置する。
これにより、幕板Ａ４内に導入された外気はガイド板１１ｃの斜辺と傾斜配置したガイド板１１ａとの間、及びガイド板１１ａ相互間を通って給気口９の右側方向に案内され、吹き出しの主流は図２（ａ）に示すように右方向となる。
【００２９】
図２に示した排気用送風機Ａ２と給気用送風機Ａ３の配置形態で、幕板Ａ４の給気口９から吹き出す給気流の吹き出し方向を、給気口９の幅方向の略中央部とする場合は、制御手段Ａ５を図３（ｂ）に示すように配置する。即ち、給気穴８の上縁側にガイド板１１ｃを図２の右側給気の場合と同様に配置し、そのガイド板１１ｃの左側領域にガイド板１１ａを正面略ハ字形に傾斜配置する。
これにより、幕板Ａ４内に導入された外気は、ガイド板１１ｃの斜片部分とガイド板１１ａとの間、及びガイド板１１ａ相互間を通って給気口９の幅方向略中央部に案内され、吹き出しの主流は図３（ａ）に示す中央吹き出しとなる。
【００３０】
同様に、図２に示した排気用送風機Ａ２と給気用送風機Ａ３の配置形態で、幕板Ａ４の給気口９から吹き出す給気流の吹き出し方向を、給気口９の幅方向の左側とする場合は、制御手段Ａ５を図４（ｂ）に示すように配置する。即ち、給気穴８の上縁側にガイド板１１ｃを図２の右側給気の場合と同様に配置し、そのガイド板１１ｃの斜片の先端の延長線に対した略直角に交差するように２個のガイド板１１ａを直線状に連続して傾斜配置する。
これにより、幕板Ａ４内に導入された外気は、ガイド板１１ｃの斜片部分の先端とガイド板１１ａとの間を通り、且つそのガイド板１１ａによって給気口９の左方向に案内され、吹き出しの主流は図４（ａ）に示す左吹き出しとなる。
【００３１】
図５は、排気用送風機Ａ２がフード部Ａ１の上面右側に配置され、給気用送風機Ａ３が幕板Ａ４における背板７ｂの左側に開設された給気穴８と連通させてフード部Ａ１の上面左側に配置された場合の、給気流の吹き出し方向に応じた制御手段Ａ５のガイド板のレイアウトを図示する。
図５（ａ）は、幕板Ａ４の給気口９から吹き出される給気流の方向を、左側の壁及び加熱調理器具の前に立つ使用者に当らない右方向とするもので、幕板Ａ４の背板７ｂには、給気穴８の上縁側にガイド板１１ｂを平行に配置し、給気穴８の右側に２個のガイド板１１ａを該幕板の下部から上方に向けて右傾斜状に連続して配置する。
これにより、幕板Ａ４内に導入された外気はガイド板１１ｂと傾斜配置したガイド板１１ａとによって給気口９の右側方向に案内され、吹き出しの主流は右方向となる。
【００３２】
図５（ｂ）は幕板Ａ４の給気口９から吹き出す給気流の吹き出し方向を、給気口９の幅方向の略中央部とする場合で、給気穴８の上縁側にガイド板１１ｂを図５（ａ）の右側給気の場合と同様に配置し、そのガイド板１１ｂの右側領域にガイド板１１ａを正面略ハ字形に傾斜配置する。
これにより、幕板Ａ４内に導入された外気は、ガイド板１１ｂの右端とガイド板１１ａとの間、及びガイド板１１ａ相互間を通って給気口９の幅方向略中央部に案内され、吹き出しの主流は中央吹き出しとなる。
【００３３】
図５（ｃ）は幕板Ａ４の給気口９から吹き出す給気流の吹き出し方向を、給気口９の幅方向の左側とする場合で、給気穴８の上縁側にガイド板１１ｂを図５（ａ）の右側給気の場合と同様に配置し、そのガイド板１１ｂの右側領域に２個のガイド板１１ａを左上から右下に向けて平行に傾斜配置する。
これにより、幕板Ａ４内に導入された外気は、ガイド板１１ｂの右端とガイド板１１ａとの間、及びガイド板１１ａ相互の間を通り、且つガイド板１１ａの傾斜によって給気口９の左方向に案内され、吹き出しの主流は左吹き出しとなる。
【００３４】
図６は給気口９を有する幕板の変形例を示し、フード部１２の前面板と幕板を一体化した前板１３を中空構造として給気経路を構成し、前記前板１３の前面上部に給気口９が開口され、その給気口９と連通する扁平箱状の空間部に、前記したと同様、制御手段Ａ５のガイド板１１ａ、１１ｂ、１１ｃを、レンジフードを設置する現場の状況（周囲の壁の位置）に応じて適宜配置し、給気流が壁等に直接当らないようにする。尚、図６に示すレンジフードは、一般的にブーツ型レンジフードといわれるタイプのもので、フード部１２内に排気用送風機Ａ２が内蔵され、フード部１２の上面に給気用送風機（給気ボックス）Ａ３が設置されている。
【００３５】
図７は室内循環式レンジフードの排気経路に、上記した給気流の吹き出し方向を制御する制御手段Ａ５を備えた実施例を図示する。
この室内循環式レンジフードは、主に、加熱調理器具が電磁調理器や電気レンジで、加熱に酸素を必要とせず、有害ガスを発生しない環境下で使用されるもので、調理によって発生する油煙、臭気、水蒸気等をフード部Ａ１’で捕集し、これをフード部Ａ１’内部と連通配置した排気用送風機Ａ２’の運転により吸引し、排気経路１５の末端に配置した幕板Ａ４’の給気口（排気口）９’から室内に排気（給気）される。勿論、排気用送風機Ａ２’の作用で吸引捕獲した油煙等はそのまま室外に排気するのではなく、排気用送風機Ａ２’の吐出側と幕板Ａ４’とを結ぶ排気経路内に装備した浄化装置１４で清浄化して排気される。尚、前記浄化装置１４は、油脂分を除去するフィルタ、脱臭機能のフィルタ、水蒸気を除去するフィルタ等によって構成されている。
【００３６】
上記ガイド板の設置固定は、レンジフードの設置現場の状況、排気用送風機と給気用送風機の取付位置、及び給気流（排気流）の吹き出し方向等に応じて予め設定されたガイド板のレイアウト図（指示書）等に基づいて固定するが、前記レイアウト図をガイド板が取り付けられる幕板の背板等に直接表示し、設置現場の状況に応じて最適な吹き出し方向を決定し、その吹き出し方向に対応したレイアウト上にガイド板を固定するようにしてもよい。
【００３７】
本発明は上記した実施の形態に限定されるものではなく、本発明の要旨を変更しない範囲で下記のような変更が可能である。
（１）図示の排気用送風機及び給気用送風機は、ファンとして多翼ファン（俗称：シロッコファン）を使用した形態を示したが、ファンはプラペラファンでもよいものである。
（２）給気経路及び排気経路に配置したガイド板のレイアウトは一例であり、これに限定されない。
（３）制御手段を構成するガイド板を、給気経路又は排気経路に固定する方法は、ビス止めに限定されず、接着、オスメスの嵌合方式等、何れでもよい。
（４）図示の同時給排式レンジフードは給気用送風機を備えたタイプについて行ったが、給気経路に配置した給気用送風機を取り除いて自然給気タイプとすることは勿論可能である。
【図面の簡単な説明】
【００３８】
【図１】本発明に係るレンジフードの実施の一例を示す一部切欠側面図。
【図２】（ａ）は同レンジフードの排気用送風機と給気用送風機の配置及び給気流の吹き出し方向（右方向）を示す平面図、（ｂ）は給気経路に配置する制御手段のレイアウトを示す一部切欠正面図。
【図３】中央吹き出しを示す説明図で、（ａ）は送風機の配置図、（ｂ）は制御手段のレイアウトを示す図。
【図４】左吹き出しを示す説明図で、（ａ）は送風機の配置図、（ｂ）は制御手段のレイアウトを示す図。
【図５】排気用送風機を右側、給気用送風機を左側に配置したレンジフードにおける給気流の方向別の制御手段のレイアウトを示し、（ａ）は右吹き出し、（ｂ）は中央吹き出し、（ｃ）は左吹き出しを示す。
【図６】幕板の変形例を示す縦断側面図。
【図７】室内循環式レンジフードに本発明の吹き出し方向制御手段を装備した実施例を示す一部切欠側面図。
【図８】従来の同時給排式レンジフードの使用状態を示す説明図。
【符号の説明】
【００３９】
Ａ…同時給排式レンジフード        Ａ１，Ａ１’…フード部
Ａ２，Ａ２’…排気用送風機                          Ａ３…給気用送風機
Ａ４，Ａ４’…幕板                                  Ａ５…制御手段
８…給気穴                            ９，９’…給気口
１１ａ，１１ｂ，１１ｃ…ガイド板
【図１】
2007093131.tif 000003
【図２】
2007093131.tif 000004
【図３】
2007093131.tif 000005
【図４】
2007093131.tif 000006
【図５】
2007093131.tif 000007
【図６】
2007093131.tif 000008
【図７】
2007093131.tif 000009
【図８】
2007093131.tif 000010